(57)【要約】【課題】ユーザに商品情報をアピールするだけでなく、あたかもショッピングビルにいるかのような仮想空間を提供でき、知りたい商品情報を検索しやすい商品閲覧ウェブサイト用システムを提供する。【解決手段】ウェブブラウザで閲覧できるウェブサイトとして機能するシステムであって、複数のフロアが階層的に設けられたショッピングビルを想起させるビル画像１１を備えたビル表示用ウェブページ１０と、このビル表示用ウェブページ１０にリンクされ、複数の部屋が区画されたフロアを想起させるフロア画像２１を備えたフロア表示用ウェブページ２０と、このフロア表示用ウェブページ２０にリンクされ、複数の商品情報３１が表示された商品表示用ウェブページ３０とから構成されている。【選択図】　　　　図１
2004005286.tif 000002
【特許請求の範囲】
【請求項１】
ウェブブラウザで閲覧できるウェブサイトとして機能するシステムであって、複数のフロアが階層的に設けられたショッピングビルを想起させるビル画像を備えたビル表示用ウェブページと、
該ビル表示用ウェブページにリンクされ、複数の部屋が区画されたフロアを想起させるフロア画像を備えたフロア表示用ウェブページと、
該フロア表示用ウェブページにリンクされ、複数の商品情報が表示された商品表示用ウェブページとからなる
ことを特徴とする商品閲覧ウェブサイト用システム。
【請求項２】
前記ビル表示用ウェブページが、
前記ビル画像における各フロアに対応して、フロアページ表示ボタンをそれぞれ備えており、
該各フロアページ表示ボタンに前記フロア表示用ウェブページがリンクされており、
該フロアページ表示ボタンがクリックされるとフロア表示用ウェブページをウェブブラウザに表示するものである
ことを特徴とする請求項１記載の商品閲覧ウェブサイト用システム。
【請求項３】
前記フロア表示用ウェブページが、
前記フロア画像における各部屋に対応して、商品ページ表示ボタンをそれぞれ備えており、
該各商品ページ表示ボタンに前記商品表示用ウェブページがリンクされており、該商品ページ表示ボタンがクリックされると前記商品表示用ウェブページをウェブブラウザに表示するものである
ことを特徴とする請求項１または２記載の商品閲覧ウェブサイト用システム。
【請求項４】
前記商品表示用ウェブページが、
前記商品情報とともに並べて表示された商品画像を備えている
ことを特徴とする請求項１、２または３記載の商品閲覧ウェブサイト用システム。
【発明の詳細な説明】
【０００１】
【発明の属する技術分野】
本発明は、商品閲覧ウェブサイト用システムに関する。
【０００２】
【従来の技術】
従来より、ウェブブラウザでインターネットを介して多くのユーザに商品を閲覧してもらうために、商品の写真画像や説明文等の商品情報がリスト化されて表示されるウェブサイトがある。かかるウェブサイトによれば、ウェブブラウザによって商品の色や形状、素材等の商品情報をユーザが閲覧でき、ユーザに商品情報をアピールすることができる。
【０００３】
【発明が解決しようとする課題】
しかるに、従来の商品閲覧ウェブサイトは、各商品についての商品情報をユーザに示すことができるが、ユーザは商品情報を検索することが難しいという問題がある。
【０００４】
本発明はかかる事情に鑑み、ユーザに商品情報をアピールするだけでなく、あたかもショッピングビルにいるかのような仮想空間を提供でき、知りたい商品情報を検索しやすい商品閲覧ウェブサイト用システムを提供することを目的とする。
【０００５】
【課題を解決するための手段】
請求項１の商品閲覧ウェブサイト用システムは、ウェブブラウザで閲覧できるウェブサイトとして機能するシステムであって、複数のフロアが階層的に設けられたショッピングビルを想起させるビル画像を備えたビル表示用ウェブページと、該ビル表示用ウェブページにリンクされ、複数の部屋が区画されたフロアを想起させるフロア画像を備えたフロア表示用ウェブページと、該フロア表示用ウェブページにリンクされ、複数の商品情報が表示された商品表示用ウェブページとからなることを特徴とする。
請求項２の商品閲覧ウェブサイト用システムは、請求項１記載の発明において、前記ビル表示用ウェブページが、前記ビル画像における各フロアに対応して、フロアページ表示ボタンをそれぞれ備えており、該各フロアページ表示ボタンに前記フロア表示用ウェブページがリンクされており、該フロアページ表示ボタンがクリックされるとフロア表示用ウェブページをウェブブラウザに表示するものであることを特徴とする。
請求項３の商品閲覧ウェブサイト用システムは、請求項１または２記載の発明において、前記フロア表示用ウェブページが、前記フロア画像における各部屋に対応して、商品ページ表示ボタンをそれぞれ備えており、該各商品ページ表示ボタンに前記商品表示用ウェブページがリンクされており、該商品ページ表示ボタンがクリックされると前記商品表示用ウェブページをウェブブラウザに表示するものであることを特徴とする。
請求項４の商品閲覧ウェブサイト用システムは、請求項１、２または３記載の発明において、前記商品表示用ウェブページが、前記商品情報とともに並べて表示された商品画像を備えていることを特徴とする。
【０００６】
請求項１の発明によれば、ビル表示用ウェブページのビル画像によって、複数のフロアが階層的に設けられたショッピングビルを想起させることができる。また、フロア表示用ウェブページのフロア画像によって、複数の部屋が区画されたフロアを想起させることができる。さらに、商品表示用ウェブページの商品画像によって商品情報をユーザにアピールすることができる。よって、ユーザに商品情報をアピールするだけでなく、あたかもショッピングビルにいるかのような仮想空間をユーザに提供することができる。
請求項２の発明によれば、ウェブブラウザに表示されているビル表示用ウェブページのフロアページ表示ボタンがクリックされると、ウェブブラウザにフロア表示用ウェブページが表示される。このため、あたかもショッピングビルのフロア内に移動するかのような仮想空間をユーザに提供することができる。
請求項３の発明によれば、フロア表示用ウェブページの商品ページ表示ボタンがクリックされると、ウェブブラウザに商品表示用ウェブページが表示される。このため、ショッピングビルのフロア内で陳列されている商品を見るような仮想空間をユーザに提供することができ、知りたい商品情報を検索しやすい。
請求項４の発明によれば、商品表示用ウェブページには、商品情報とともに商品画像が並べて表示される。このため、商品情報を商品画像とともにユーザにアピールすることができ、ユーザは知りたい商品情報を検索しやすい。
【０００７】
【発明の実施の形態】
つぎに、本発明の実施形態を図面に基づき説明する。
図１は本実施形態の商品閲覧ウェブサイト用システム１のシステム構成図である。同図に示すように、本実施形態の商品閲覧ウェブサイト用システム１は、ウェブブラウザで閲覧できるウェブサイトとして機能するシステムであり、ビル表示用ウェブページ１０、複数のフロア表示用ウェブページ２０および複数の商品表示用ウェブページ３０から構成されたものである。
【０００８】
まず、ビル表示用ウェブページ１０を説明する。
図２はビル表示用ウェブページ１０である。同図に示すように、ビル表示用ウェブページ１０は、ビル画像１１を備えている。このビル画像１１は、複数のフロアが階層的に設けられたショッピングビルが描かれており、これを想起させる画像である。このビル画像１１のフロア部分には、各フロアに対応する位置にフロアページ表示ボタン１２が設けられている。
このフロアページ表示ボタン１２は、ユーザによりクリックされると、ウェブブラウザの表示ページをフロア表示用ウェブページ２０に切換えて表示するように設定されている。
【０００９】
つぎに、フロア表示用ウェブページ２０を説明する。
図３はフロア表示用ウェブページ２０である。同図に示すように、フロア表示用ウェブページ２０は、フロア画像２１を備えている。このフロア画像２１は、複数の部屋が区画されたフロアが描かれており、これを想起させる画像である。このフロア画像２１の部屋部分には、各部屋に対応する商品ページ表示ボタン２２が設けられている。
この商品ページ表示ボタン２２は、ユーザによりクリックされると、ウェブブラウザの表示ページを商品表示用ウェブページ３０に切換えて表示するように設定されている。
【００１０】
つぎに、商品表示用ウェブページ３０を説明する。
図４は商品表示用ウェブページ３０である。同図に示すように、商品表示用ウェブページ３０は、複数の商品情報３１とともに商品画像３２が並べて表示されたものである。
商品情報３１は、ユーザにアピールしたい商品、例えばステンドガラスやアクセサリー、書籍等における商品の型番や単価、形状、素材など、商品における種々のデータを採択しうる。
商品画像３２は、例えば、ブレスレットやイヤリング、ピアス等の商品の模様や外観形状をピクセル画像にしたものである。
【００１１】
つぎに、本実施形態の商品閲覧ウェブサイト用システム１の作用効果を説明する。
本実施形態の商品閲覧ウェブサイト用システム１によれば、以下の（１）〜（４）の効果を奏する。
（１）ビル表示用ウェブページ１０のビル画像１１によって、複数のフロアが階層的に設けられたショッピングビルを想起させることができる。また、フロア表示用ウェブページ２０のフロア画像２１によって、複数の部屋が区画されたフロアを想起させることができる。さらに、商品表示用ウェブページ３０によって商品情報３１をユーザにアピールすることができる。よって、ユーザに商品情報をアピールするだけでなく、あたかもショッピングビルにいるかのような仮想空間をユーザに提供することができる。
（２）ウェブブラウザに表示されているビル表示用ウェブページ１０のフロアページ表示ボタン１２がクリックされると、ウェブブラウザにフロア表示用ウェブページ２０が表示される。このため、あたかもショッピングビルのフロアに移動するかのような仮想空間をユーザに提供することができる。
（３）フロア表示用ウェブページ２０の商品ページ表示ボタン２２がクリックされると、ウェブブラウザに商品表示用ウェブページ３０が表示される。このため、ショッピングビルのフロアで陳列されている商品を見るような仮想空間をユーザに提供することができ、知りたい商品情報を検索しやすい。
【００１２】
（４）商品表示用ウェブページ３０には、商品情報３１とともに商品画像３２が並べて表示される。このため、商品情報３１を商品画像３２とともにユーザにアピールすることができ、ユーザは知りたい商品情報を検索しやすい。
【００１３】
【発明の効果】
請求項１の発明によれば、ビル表示用ウェブページのビル画像によって、複数のフロアが階層的に設けられたショッピングビルを想起させることができる。また、フロア表示用ウェブページによって、複数の部屋が区画されたフロアを想起させることができる。さらに、商品表示用ウェブページのフロア画像によって商品情報をユーザに見せることができる。よって、ユーザに商品情報をアピールするだけでなく、あたかもショッピングビルにいるかのような仮想空間をユーザに提供することができ、知りたい商品情報を検索しやすい。
請求項２の発明によれば、ウェブブラウザに表示されているビル表示用ウェブページのフロアページ表示ボタンがクリックされると、ウェブブラウザにフロア表示用ウェブページが表示される。このため、あたかもショッピングビルのフロアに移動するかのような仮想空間をユーザに提供することができる。
請求項３の発明によれば、フロア表示用ウェブページの商品表示ボタンがクリックされると、ウェブブラウザに商品表示用ウェブページが表示される。このため、ショッピングビルのフロアで陳列されている商品を見るような仮想空間をユーザに提供することができる。
請求項４の発明によれば、ユーザはフロア表示用ウェブページのフロア画像を見ながら、所望の部屋と対応する商品ページ表示ボタンをクリックすると、商品情報が商品画像とともに並べて表示された商品表示用ウェブページが、ウェブブラウザに表示される。このため、ショッピングビルのフロアで陳列されている商品を見るような仮想空間をユーザに提供することができる。
【図面の簡単な説明】
【図１】本実施形態の商品閲覧ウェブサイト用システム１のシステム構成図である。
【図２】ビル表示用ウェブページ１０である。
【図３】フロア表示用ウェブページ２０である。
【図４】商品表示用ウェブページ３０である。
【符号の説明】
１　　　商品閲覧ウェブサイト用システム
１０　　ビル表示用ウェブページ
１１　　ビル画像
２０　　フロア表示用ウェブページ
２１　　フロア画像
２２　　商品ページ表示ボタン
３０　　商品表示用ウェブページ
３１　　商品情報
３２　　商品画像
【図１】
2004005286.tif 000003
【図２】
2004005286.tif 000004
【図３】
2004005286.tif 000005
【図４】
2004005286.tif 000006